(57)【要約】【課題】前面扉が開放された旨を把握できるようにすることで不正行為への対応を迅速に行うことができるスロットマシンを提供すること。【解決手段】前面が開口する筐体と、その開口を閉塞する前面扉と、を有するスロットマシンに、前面扉の開放を検出する開放検出スイッチ８５と、開放検出スイッチ８５により前面扉の開放が検出されたときに出力される開放検出信号を外部に出力するための接続端子２４１が搭載された外部出力基板２０５と、を備える。【選択図】    図４
2004267357.tif 000002
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
前面が開口する筺状のスロットマシン本体と、
該スロットマシン本体の前面開口を閉塞する前面扉と、
を有し、
ゲームの制御を行う遊技制御手段が搭載された遊技制御基板と、
前記前面扉の開放を検出する開放検出手段と、
前記遊技制御基板と別個に設けられ、前記開放検出手段により前記前面扉の開放が検出されたときに出力される開放検出信号を外部に出力するための扉開放外部出力部が搭載された外部出力基板と、
を備えることを特徴とするスロットマシン。
【請求項２】
前記開放検出信号は、前記遊技制御手段に入力されることなく前記扉開放外部出力部を介して外部に出力される請求項１に記載のスロットマシン。
【請求項３】
前記前面扉は、前記スロットマシン本体の前面開口に対して一方の側端を軸に他方の側端が開放可能となるように取り付けられており、
前記開放検出手段及び前記外部出力基板は、前記スロットマシン本体における前記前面扉の開放側に設けられている請求項１または２に記載のスロットマシン。
【請求項４】
前記外部出力基板には、遊技に関連する遊技信号を外部に出力するための遊技関連外部出力部が搭載され、
前記開放検出信号と前記遊技信号とは電気的に独立して外部に出力される請求項１〜３のいずれかに記載のスロットマシン。
【請求項５】
前記前面扉または前記スロットマシン本体のいずれか一方に設けられた係止部材が、他方に設けられた係止部に係止されることで前記前面扉の開放が規制されるとともに、前記係止部材を動作させることで前記係止部材と係止部の係止が解除され、前記前面扉の開放が可能とされており、
前記開放検出手段は、前記係止部材の動作を検出する請求項１〜４のいずれかに記載のスロットマシン。
【請求項６】
前記開放検出手段の周囲を覆う防護部材が設けられている請求項１〜５のいずれかに記載のスロットマシン。
【発明の詳細な説明】
【０００１】
【発明の属する技術分野】
本発明は、表示状態を変化させることが可能な可変表示装置の表示結果に応じて所定の入賞が発生可能なスロットマシンに関し、特には、前面に開口を有するスロットマシン本体と、その前面開口を閉塞する前面扉と、を有するスロットマシンに関する。
【０００２】
【従来の技術】
従来からパチンコ機やスロットマシン等の遊技機に対する不正行為が問題となっている。特に、パチンコ機においては、盤面や球流路、基板等が一体となった扉枠を開放し、不正な部品が取り付けられたり、内部に設けられた基板ごと、不正に改造が施された基板に交換する等の不正行為が後を絶たない。
【０００３】
このため、パチンコ機においては、不正を未然に防ぐことを目的として扉枠の開放を検出する開放検出回路を設け、この開放検出回路により扉枠の開放が検出された旨の信号を外部出力するための端子を備えたものが提案されている（例えば、特許文献１参照）。
【０００４】
一方、スロットマシンにおいても、リールや基板、メダルの払出装置等が収納された筐体の前面扉が開放され、不正な操作が行われたり、不正な部品の取り付け、不正な基板への交換等の不正行為が増えており、これらの不正行為を防ぐために従業員を配置したり、監視カメラによる監視を行うことで対処していた。
【０００５】
【特許文献１】
特開平１０−３０９３６１号公報（第３−４頁）
【０００６】
【発明が解決しようとする課題】
しかしながら、上述のような不正行為は極めて短時間で行われるケースが多く、従業員や監視カメラによる監視の隙を狙って不正行為が行われることもあり、これら不正行為が行われたことを把握することが困難であった。
【０００７】
本発明は、前面扉が開放された旨を把握できるようにすることで不正行為への対応を迅速に行うことができるスロットマシンを提供することを目的とする。
【０００８】
【課題を解決するための手段】
上記課題を解決するために、本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
前面が開口する筺状のスロットマシン本体と、
該スロットマシン本体の前面開口を閉塞する前面扉と、
を有し、
ゲームの制御を行う遊技制御手段が搭載された遊技制御基板と、
前記前面扉の開放を検出する開放検出手段と、
前記遊技制御基板と別個に設けられ、前記開放検出手段により前記前面扉の開放が検出されたときに出力される開放検出信号を外部に出力するための扉開放外部出力部が搭載された外部出力基板と、
を備えることを特徴としている。
この特徴によれば、前面扉の開放が開放検出手段に検出されたときに、その旨を示す開放検出信号が扉開放外部出力部より出力され、開放検出信号を外部で検知することで前面扉が開放された旨を把握することが可能となり、不正に前面扉が開放された場合、すなわち不正な部品の取り付けや交換等が行われた場合には、その旨を把握できるため、これら不正行為への対応を迅速に行うことができる。
尚、開放検出信号とは、扉開放外部出力部に接続された外部機器において前面扉の開放を検知できる信号であり、電圧の変化によって前面扉の開放を検知可能なパルス信号等が該当する。更に、電気的に導通しているか否かのみによって前面扉の開放を検知できるものであれば、電気的な導通の有無も開放検出信号に該当する。
【０００９】
本発明のスロットマシンの前記開放検出信号は、前記遊技制御手段に入力されることなく前記外部出力部を介して外部に出力されることが好ましい。
このようにすれば、遊技に直接関連しない開放検出信号が遊技制御手段に入力されないため、開放検出信号の経路を介して不正な信号が遊技制御手段に入力されることを防止できる。
【００１０】
本発明のスロットマシンの前記前面扉は、前記スロットマシン本体の前面開口に対して一方の側端を軸に他方の側端が開放可能となるように取り付けられており、
前記開放検出手段及び前記外部出力基板は、前記スロットマシン本体における前記前面扉の開放側に設けられていることが好ましい。
このようにすれば、開放検出手段と外部出力基板とを近接して配置できるため、配線を簡素化できる。
【００１１】
本発明のスロットマシンの前記外部出力基板には、遊技に関連する遊技信号を外部に出力するための遊技関連外部出力部が搭載され、
前記開放検出信号と前記遊技信号とは電気的に独立して外部に出力されることが好ましい。
このようにすれば、開放検出信号と遊技信号とが電気的に独立しているため、双方の信号が互いに影響し合うことがない。
尚、開放検出信号と遊技信号とが電気的に独立して出力されるとは、各信号の電送経路、すなわち配線、基板上の配線パターン等が各々独立して構成され、各々の信号が電気的に交わることなく出力されることである。更に、外部出力基板における開放検出信号を出力するための端子と遊技信号を出力するための端子とが各々独立して構成されていることが好ましい。
【００１２】
本発明のスロットマシンは、前記前面扉または前記スロットマシン本体のいずれか一方に設けられた係止部材が、他方に設けられた係止部に係止されることで前記前面扉の開放が規制されるとともに、前記係止部材を動作させることで前記係止部材と係止部の係止が解除され、前記前面扉の開放が可能とされており、
前記開放検出手段は、前記係止部材の動作を検出することが好ましい。
このようにすれば、前面扉を開放する際には必ず係止部材が動作するため、その動作を検出することで確実に前面扉の開放を検出できる。
【００１３】
本発明のスロットマシンは、前記開放検出手段の周囲を覆う防護部材が設けられていることが好ましい。
このようにすれば、開放検出手段の検出を無効化させるためにスロットマシン本体と前面扉の隙間から異物が挿入されても、防護部材により開放検出手段に到達しづらくできる。
【００１４】
【発明の実施の形態】
以下、本発明の実施の形態を図面に基づいて詳細に説明する。
【００１５】
本発明が適用された遊技機の実施例を図面を用いて説明すると、図１には、本実施例におけるスロットマシン１の全体正面図、図２にはスロットマシン１の内部構造図がそれぞれ示されている。スロットマシン１は、前面が開口する筐体２ａと、この筺体２ａの側端に回動自在に枢支された前面扉２ｂと、から構成されており、前面扉２ｂの裏面に設けられた施錠装置（図示略）の鍵穴３に挿入した所定のキーを時計回り方向に回動操作することにより施錠が解除されて前面扉２ｂを開放することができるようになっている。
【００１６】
前面扉２ｂの周囲には、遊技効果ＬＥＤ１３０（図３参照）が内蔵された遊技効果ＬＥＤ部４１が設けられているとともに、前面扉２ｂの前面上部には役構成等が印刷された上部パネル４が、前面中央部には各種表示部が形成された遊技パネル６が、前面下部にはタイトル等が印刷された下部パネル７が、各々設けられている。
【００１７】
遊技パネル６と下部パネル７の間には、前方に突出するように操作部８が形成されており、この操作部８には遊技媒体であるメダルを投入可能なメダル投入部３４や各種操作ボタン３５、３６ａ、３６ｂ、３７、４０Ｌ、４０Ｃ、４０Ｒ、及びスタートレバー３８等が設けられているとともに、操作部８の下部左右側には、遊技効果ＬＥＤ１３１（図３参照）が内蔵された遊技効果ＬＥＤ部４３がそれぞれ設けられている。
【００１８】
前面扉２ｂにおける下部パネル７の下方には、メダルが払出されるメダル払出穴９が設けられたメダル受皿１１が設けられている。
【００１９】
上部パネル４の左右側には、内部に設けられる高音用のスピーカ１３６ａ、１３６ｂ（図３参照）から出力される音を放音する放音部１２ａ、１２ｂがそれぞれ設けられているとともに、メダル払出穴９の側方には、内部に設けられる低音用のスピーカ１３７（図３参照）から出力される音を放音する放音部１３が設けられている。
【００２０】
上部パネル４の中央部には、液晶表示部１５が設けられており、この液晶表示部１５を透して内部に設けられる液晶表示器１３５（図３参照）の表示内容が表示されるようになっている。
【００２１】
遊技パネル６には、スロットマシン１の筐体２ａに内設された後述のリール５１Ｌ、５１Ｃ、５１Ｒを透視可能な透視窓１４と、各種表示部と、がそれぞれ設けられている。
【００２２】
遊技パネル６に設けられた各種表示部のうち、クレジット表示部３１は、クレジットが表示される。クレジットとは、遊技者所有の有価価値としてスロットマシン１内部の記憶部に記憶されているメダル数である。このスロットマシン１では、クレジットとして記憶可能な価値の上限値が最大でメダル５０枚分とされており、この上限値を越えるクレジットの加算更新の要求が発生した場合にはその上限を越えるメダルがメダル払出穴９から払出される。
【００２３】
ゲーム回数表示部３２は、後述するビッグボーナス（ＢＢ）中に提供されるビッグボーナスゲーム（ＢＢゲーム）の残回数や、後述するレギュラーボーナス（ＲＢ）の残回数等が表示される。更にゲーム回数表示部３２は、スロットマシン１に発生した各種の異常を表示する報知手段であるエラー表示器としても機能する。
【００２４】
ペイアウト表示部３３は、１ゲーム中に発生した入賞に基づいて遊技者に付与されるメダル枚数が入賞がある毎に表示される。
【００２５】
１〜３枚賭け表示部４６〜４８は、内蔵された１〜３枚賭けＬＥＤ１１１〜１１３（図３参照）が、遊技者がゲームに賭数を設定した場合にその賭数に応じて点灯する。
【００２６】
リプレイ表示部２７は、リプレイ入賞が発生した場合に、その内部に内蔵されたリプレイＬＥＤ１１４（図３参照）が点灯する。スタート表示部２８は、賭数が設定されることによりスタート操作をすることが可能となった場合に、その内部に内蔵されたスタートＬＥＤ１１５（図３参照）が点灯し、有効なスタート操作が検出されることにより消灯する。投入指示表示部３０は、メダルを受付可能な状態である場合に、その内部に内蔵された投入指示ＬＥＤ１１７（図３参照）が点滅し、メダルを受付不可能な状態である場合に消灯する。
【００２７】
ウェイト表示部２９は、ウェイトタイム中にスタート操作が検出された場合に、その内部に内蔵されたウェイトＬＥＤ１１６（図３参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。
【００２８】
演出用表示部１６〜２５のうち演出用表示部１７〜２０は、リプレイ表示部２７、ウェイト表示部２９、スタート表示部２８、投入指示表示部３０と、演出用表示部２１〜２５は、１〜３枚賭け表示部４６〜４８と、各々同様に機能する表示部であり、これら各表示部に内蔵されたＬＥＤ１１１〜１１７の点灯／消灯に応じて、各々対応する演出用表示部１７〜２５に内蔵された演出用ランプ１４１〜１４９（図３参照）が点灯／消灯する。また、演出用表示部１６は、ビッグボーナス入賞やレギュラーボーナス入賞の発生が許容されている場合に、その内部に内蔵された演出用ランプ１４０（図３参照）が点灯するようになっており、ボーナス告知表示部として機能する。尚、以下の説明において演出用ランプ１４０をＷＩＮランプと称す。
【００２９】
操作部８の上面右側には、メダル投入口が形成されたメダル投入部３４が設けられているとともに、左側には精算ボタン３７、１枚ＢＥＴボタン３６ａ、ＭＡＸＢＥＴボタン３６ｂがそれぞれ設けられている。
【００３０】
１枚ＢＥＴボタン３６ａは、クレジットを使用してメダルを１枚分賭ける際に押圧するボタンであり、ＭＡＸＢＥＴボタン３６ｂは、１ゲームにおいて許容される賭数の最大数（本実施例ではメダル３枚分）をクレジットの範囲内で賭ける際に押圧するボタンである。１枚ＢＥＴボタン３６ａ、ＭＡＸＢＥＴボタン３６ｂの内部には、ＢＥＴボタンＬＥＤ１２１ａ、１２１ｂがそれぞれ内蔵されており（図３参照）、これらのＢＥＴボタンＬＥＤ１２１ａ、１２１ｂは、対応するＢＥＴボタンの操作により賭数を設定可能な状態にある場合に点灯し、賭数を設定不可能な状態の場合に消灯する。
【００３１】
精算ボタン３７は、記憶部に記憶されているクレジットの精算操作をする際に押圧するボタンであり、この精算ボタン３７の押圧操作に伴い、クレジットとして記憶されている枚数のメダルがメダル払出穴９から払出されるようになっている。
【００３２】
操作部８の前側面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することによりリールユニット５０の各リール５１Ｌ、５１Ｃ、５１Ｒの回転が開始される。
【００３３】
各ストップボタン４０Ｌ、４０Ｃ、４０Ｒは、ゲームが開始した後にリール５１Ｌ、５１Ｃ、５１Ｒの回転を停止させる際に操作するボタンであり、ストップボタン４０Ｌ、４０Ｃ、４０Ｒの内部には操作有効ＬＥＤ１２２Ｌ、１２２Ｃ、１２２Ｒが、それぞれ内蔵されている（図３参照）。これら操作有効ＬＥＤ１２２Ｌ、１２２Ｃ、１２２Ｒは、対応するストップボタン４０Ｌ、４０Ｃ、４０Ｒの操作が有効である場合に点灯し、操作が無効である場合に消灯する。
【００３４】
メダル詰まり解除ボタン３５は、メダル投入部３４に投入されたメダルが内部で詰まった場合に、これを解消させる際に操作するボタンである。
【００３５】
前面扉２ｂの裏面には、メダル投入部３４から投入されたメダルを後述するホッパータンク５７ａに導く投入メダルセレクタ（図示略）が設けられている。直径や厚みの異なる不正メダルは、この投入メダルセレクタにより振り分けられてメダル払出穴９から返却される。
【００３６】
投入メダルセレクタの下流側には、流下するメダル流路を選択的に切替可能とする図示しない流路切替ソレノイド１０７（図３参照）が設けられている。通常時において流路切替ソレノイド１０７は励磁されており、この状態において流下するメダルは投入メダルセンサ１０６（図３参照）により検出された後、ホッパータンク５７ａ内に貯留されるようになっている。メダル投入が不可能な場合には、流路切替ソレノイド１０７の励磁が解除されて流路が切替わってメダル払出穴９から返却される。
【００３７】
図２に示すように、筐体２ａ内略中央部には、複数種の図柄が印刷された透光性を有する帯状のリールシートが外周に巻回されたリール５１Ｌ、５１Ｃ、５１Ｒを有する可変表示装置としてのリールユニット５０が設けられている。それぞれのリール５１Ｌ、５１Ｃ、５１Ｒは、各々に対応して設けられたリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、透視窓１４には前記各種図柄が連続的に変化しつつ表示されるようになっている。
【００３８】
透視窓１４から視認できる各リールの領域を、各リールに対応させて左可変表示部、中可変表示部、右可変表示部（領域）と呼ぶ。この各可変表示部からは、各リールに描かれた複数の図柄のうち、連続する３つの図柄が上段、中段、下段の位置に表示される。
【００３９】
各リール５１Ｌ、５１Ｃ、５１Ｒに対応して各リールの基準位置を検出するリールセンサ５６が設けられており、このリールセンサ５６により所定の図柄の停止位置を導出できるようになっているとともに、各リール５１Ｌ、５１Ｃ、５１Ｒにおける特定の表示領域（上、中、下段の表示領域）を裏面から個別に照射可能な複数のリールランプ５５がそれぞれ上、中、下段に設けられており、これら各リールランプ５５は、透視窓１４に表示される各図柄を後方から点灯するバックライトとして機能するようになっている。
【００４０】
リールユニット５０の下方には、メダル投入部３４から投入されたメダルを貯留するホッパータンク５７ａを有するホッパーユニット５７が設けられている。また、ホッパーユニット５７の右側にはホッパータンク５７ａからオーバーフローしたメダルが貯留されるオーバーフロータンク５９が設けられている。このオーバーフロータンク５９内にはメダルを検出可能な満タンセンサ６０が設けられており、内部に貯留されたメダル貯留量が所定量以上となったことを検出できるようになっている。
【００４１】
ホッパーユニット５７の下方部分にはホッパーモータ６２が設けられており、このホッパーモータ６２が回転することによりホッパータンク５７ａ内のメダルがメダル排出口６３から排出される。排出されたメダルは、メダル排出口６３の近傍に設けられる払出メダルセンサ６１により検出された後、メダル払出穴９から払い出される。
【００４２】
ホッパーユニット５７の側部には、メイン電源をｏｎ／ｏｆｆするメインスイッチ部６５と、エラーが生じた場合等において再びゲームを続行可能な状態にリセットするための第２リセットボタン６６と、入賞確率を変更可能とする設定ボタン６７と、自動精算機能をｏｎ／ｏｆｆする自動精算選択スイッチ部６８と、自動打止め機能をｏｎ／ｏｆｆする打止め選択スイッチ部６９と、遊技場の管理者等が所持する特定のキーを挿入可能な設定キー挿入部７０と、が前面に設けられた電源ユニット６４が配設されている。
【００４３】
本実施例では、設定キー挿入部７０に特定のキーを挿入して時計回りに９０度回転した状態、すなわちｏｎの状態で電源投入を行う操作により、後述する設定キースイッチ８２のｏｎが検出され、遊技状態の初期化、すなわち後述するＲＡＭ２１２の記憶内容の初期化が実行されるとともに、設定ボタン６７の操作が有効となり、この設定ボタン６７の操作により入賞確率、すなわち出玉率の変更が実行可能となる。
【００４４】
次に、遊技者が遊技（ゲーム）を行うための操作や、該操作に伴う各種装置の作動状況を説明する。
【００４５】
ゲームを開始する場合は、メダルやクレジットを使用して所望の大きさの有価価値を賭けて所望の大きさの賭数を設定する。賭数は、メダルをメダル投入部３４から投入するか、あるいはクレジットを使用することにより設定できるようになっている。クレジットを使用するにはＭＡＸＢＥＴボタン３６ｂ、または１枚ＢＥＴボタン３６ａを押圧すれば良い。
【００４６】
遊技者により賭数が「１」に設定されると入賞ラインＬ１（図１参照）が有効となり、賭数が「２」に設定されると入賞ラインＬ１、Ｌ２、Ｌ２’（図１参照）が有効となり、賭数が「３」に設定されると入賞ラインＬ１、Ｌ２、Ｌ２’、Ｌ３、Ｌ３’（図１参照）が有効となる。
【００４７】
そして本実施例では少なくとも「１」の賭数が設定された時点でスタートレバー３８の操作が有効に受付けられる状態、すなわち、ゲームが開始可能な状態となる。
【００４８】
尚、このような賭数に応じて有効化される入賞ラインの本数、及び形状等は任意に変更可能であり、本実施例の形態に限定されるものではない。また、賭数に応じて有効化される入賞ラインの本数も任意に設定変更可能である。
【００４９】
ゲームが開始可能な状態でスタートレバー３８を押圧操作すれば、各リール５１Ｌ、５１Ｃ、５１Ｒが回転し、透視窓１４には複数種類の図柄が連続的に変化するように表示される。各リール５１Ｌ、５１Ｃ、５１Ｒの回転が開始されてから所定時間が経過すれば各ストップボタン４０Ｌ、４０Ｃ、４０Ｒの操作が有効になり、この状態で遊技者がいずれかのストップボタン４０Ｌ、４０Ｃ、４０Ｒを押圧操作すれば、対応するリールの回転が停止され、透視窓１４からは対応する可変表示部の上、中、下段に図柄が表示される。
【００５０】
また、遊技者がストップボタン４０Ｌ、４０Ｃ、４０Ｒを押圧操作しない場合には、一定時間が経過した時点で自動的に各リール５１Ｌ、５１Ｃ、５１Ｒの回転が順次停止する。
【００５１】
そして全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組合せが表示された場合は入賞となり、入賞内容に対応して予め定められた所定枚数のメダルが遊技者に対してクレジットとして払出される。また、クレジットが上限数に達した場合には、メダルが直接メダル払出穴９から払い出される。
【００５２】
また、特に予め定められた特別図柄の組合せが表示されて大当たり入賞した場合にあっては、メダルの払出しが行なわれるとともに、通常遊技状態とは異なるとともに、遊技者にとって有利な、すなわち大量のメダルを獲得できるビッグボーナス（ＢＢ）やレギュラーボーナス（ＲＢ）が遊技者に対して遊技価値として付与されるようになっている。
【００５３】
尚、このように入賞することにより遊技者に対して付与される「遊技価値」は、メダル及びクレジット等の有価価値に限らず、上記のように大当たり入賞した場合において遊技者に対して付与されるＢＢやＲＢ等、遊技に関連する特典全てを含む。
【００５４】
図３は、スロットマシン１に設けられた各種基板と電気部品との接続状況を説明するためのブロック図である。
【００５５】
スロットマシン１に設けられた各種基板のうち、遊技制御基板２００によって主に遊技状態が制御され、演出制御基板２０１によって遊技状態に応じた演出制御等が実施される。また、電源基板２０２にはスロットマシン１の外部から電源が供給される。この電源基板２０２には、外部電源の供給を受けるための電源コード８４と、メインスイッチ８０とが接続されている。
【００５６】
遊技制御基板２００は、演出制御基板２０１、電源基板２０２、リール中継基板２０３、外部出力基板２０５と配線接続されている。
【００５７】
遊技制御基板２００には、各種のスイッチ、センサ、ＬＥＤ、及び表示器等、各種部品からの配線が接続されている。
【００５８】
電源基板２０２に配線接続された設定スイッチ８３、設定キースイッチ８２、第２リセットスイッチ８１、払出しセンサ６１、ホッパーモータ６２、満タンセンサ６０は、電源基板２０２によって中継されて遊技制御基板２００と配線接続されており、それぞれのスイッチ及びセンサの検出信号は、遊技制御基板２００に搭載された制御部に入力される。
【００５９】
リール中継基板２０３に配線接続されたリールモータ５４Ｌ、５４Ｃ、５４Ｒ、及びリールセンサ５６は、リール中継基板２０３によって中継されて遊技制御基板２００に配線接続されており、リールセンサ５６の検出信号は、遊技制御基板２００に搭載された制御部に入力される。
【００６０】
遊技制御基板２００に配線接続されたスイッチ、センサのうち、１枚ＢＥＴスイッチ１００は１枚ＢＥＴボタン３６ａの操作を検出し、ＭＡＸＢＥＴスイッチ１０１はＭＡＸＢＥＴボタン３６ｂの操作を検知するスイッチであり、スタートスイッチ１０２はスタートレバー３８の操作を検出するスイッチであり、左、中、右ストップスイッチ１０３Ｌ、１０３Ｃ、１０３Ｒは、左、中、右ストップボタン４０Ｌ、４０Ｃ、４０Ｒの操作を検出するスイッチである。精算スイッチ１０４は、精算ボタン３７の操作を検出するスイッチであり、第１リセットスイッチ１０５は、施錠装置の鍵穴３に挿入したキーによるスロットマシン１のリセット操作を検出するスイッチである。また、投入メダルセンサ１０６は、メダル投入部３４に投入されたメダルを検出するセンサである。
【００６１】
遊技制御基板２００に配線接続された表示器のうち、ゲーム回数表示器１０８はゲーム回数表示部３２を構成する表示器であり、クレジット表示器１０９はクレジット表示部３１を構成する表示器であり、ペイアウト表示器１１０はペイアウト表示部３３を構成する表示器である。
【００６２】
また、遊技制御基板２００には、前述した１枚賭けＬＥＤ１１１、２枚賭けＬＥＤ１１２、３枚賭けＬＥＤ１１３、リプレイＬＥＤ１１４、スタートＬＥＤ１１５、ウェイトＬＥＤ１１６、投入指示ＬＥＤ１１７、ＢＥＴボタンＬＥＤ１２１ａ、ＢＥＴボタンＬＥＤ１２１ｂ、左操作有効ＬＥＤ１２２Ｌ、１２２Ｃ、１２２Ｒ、流路切替ソレノイド１０７等の各種電気部品が配線接続されている。
【００６３】
電源基板２０２あるいはリール中継基板２０３を介して、あるいはこれらの基板を介することなく遊技制御基板２００に配線接続された各種ＬＥＤ及び表示器、モータ、ソレノイド等の電気部品は、遊技制御基板２００に搭載された制御部によって制御される。また、遊技制御基板２００に搭載された制御部は、遊技制御基板２００に接続され、または、電源基板２０２あるいはリール中継基板２０３を介して遊技制御基板２００に接続された各種スイッチ及びセンサの検出信号を受け、遊技状態を制御する。
【００６４】
遊技制御基板２００に搭載された制御部から演出制御基板２０１へは、制御状態を特定可能な各種コマンドが出力される。
【００６５】
演出制御基板２０１には、遊技効果ＬＥＤ１３０〜１３４と、演出用ランプ１４０〜１４９と、液晶表示器１３５と、放音部１２ａ、１２ｂ、１３に内蔵されるスピーカ１３６ａ、１３６ｂ、１３７と、タイトルパネル８及び遊技パネル６を内側から照らす各蛍光灯１３８と、がそれぞれ接続され、更に、リールランプ中継基板２０４を介してリール５１Ｌ、５１Ｃ、５１Ｒに内蔵されているリールランプ５５が接続されている。
【００６６】
リール中継基板２０３を介して、あるいはリール中継基板２０３を介することなく演出制御基板２０１に配線接続された各種ランプ及びスピーカ、液晶表示器等の電気部品は、演出制御基板２０１に搭載された制御部によって制御される。
【００６７】
前述のように、遊技制御基板２００は、外部出力基板２０５と配線接続されている。
【００６８】
遊技制御基板２００に搭載された制御部（図示略）は、図４に示すように、遊技状態がＲＢであることを示すＲＢ中信号や、遊技状態がＢＢであることを示すＢＢ中信号、賭数を設定するために用いられたメダル数を示すメダルＩＮ信号、入賞の発生により払出されたメダル数を示すメダルＯＵＴ信号、などを外部出力基板２０５の接続端子２４０に接続されたホールコンピュータや島コントローラ、試験装置等の外部機器に出力する制御を行う。
【００６９】
尚、外部出力基板２０５から外部に出力される信号のうち、ストップスイッチ１０３Ｌ、１０３Ｃ、１０３Ｒの操作がなされた旨を示すストップスイッチ信号は、ストップスイッチ１０３Ｌ、１０３Ｃ、１０３Ｒから直接出力された信号であり、リール制御信号は、各リール５１Ｌ、５１Ｃ、５１Ｒに対応するリールモータ５４Ｌ、５４Ｃ、５４Ｒを制御するための制御信号（モータ位相信号）である。
【００７０】
また、図３並びに図４に示すように、外部出力基板２０５には、後に詳述するが前面扉２ｂの開放を検出する開放検出スイッチ８５が配線接続されており、開放検出スイッチ８５により前面扉２ｂの開放が検出されたときに、その旨を示す開放検出信号が、外部出力基板２０５の接続端子２４１に接続された外部機器に出力される。
【００７１】
また、本実施例では、開放検出スイッチ８５として前面扉２ｂが閉まった状態において電気的に導通し、前面扉が開放した状態となるこで電気的に非導通となる接点スイッチを適用しているため、外部機器から延設された一対の信号線を開放検出スイッチ８５に接続された接続端子２４１に接続し、外部機器にて電圧をかけて電流が導通した状態であれば前面扉２ｂが閉まった状態が検知され、非導通となることで前面扉２ｂの開放が検知される。すなわち本実施例では、開放検出スイッチ８５の導通状態において開放検出信号が出力されていない状態となり、開放検出スイッチ８５の非導通状態において開放検出信号が出力されている状態となる。
【００７２】
このように本実施例では、開放検出スイッチ８５に接点スイッチを用いており、外部出力基板２０５の接続端子２４１に接続された外部機器の電源に基づいて開放検出信号を出力できるため、例えば、閉店後におけるスロットマシンの電断状態においても前面扉２ｂの開放を検知することが可能となる。
【００７３】
尚、本発明はこれに限定されるものではなく、開放検出スイッチとしてフォトセンサや近接スイッチ等のその他の検出回路を用いるとともに、これら検出回路から出力される開放検出信号として、電圧の変化によって前面扉２ｂの開放を検知可能なパルス信号が出力されるようにしても良い。
【００７４】
また、本実施例では、開放検出スイッチ８５が遊技制御基板２００を介さず、直接外部接続基板２０５に接続されており、開閉検出スイッチ８５から出力される開放検出信号、すなわち遊技に直接関連しない信号が遊技制御基板２００に入力されることなく、外部機器に対して出力されるため、開放検出信号の経路を介して不正な信号を遊技制御基板２００に搭載された制御部に入力させて不正な動作行わせる等の不正行為を防止できる。
【００７５】
尚、開放検出スイッチ８５が遊技制御基板２００に搭載された制御部に接続されない場合であれば、遊技制御基板２００上の配線パターンを経由して外部接続基板２０５に接続されていても良く、この場合でも、開放検出信号の経路を介して不正な信号を遊技制御基板２００に搭載された制御部に入力させて不正な動作を行わせる等の不正行為を防止できる。
【００７６】
また、本実施例では、遊技制御基板２００に搭載された制御部から出力される信号、すなわち遊技に関連して出力されるＲＢ中信号、ＢＢ中信号、リール制御信号、ストップスイッチ信号、メダルＩＮ信号、メダルＯＵＴ信号と、開放検出信号と、は各々電気的に独立した伝送経路となるように構成されている、すなわち配線、外部出力基板２０５上の配線パターン、接続端子が各々独立して構成され、各々の信号が電気的に交わることなく独立して出力されるようになっている。このため、ＲＢ中信号、ＢＢ中信号、リール制御信号、ストップスイッチ信号、メダルＩＮ信号、メダルＯＵＴ信号と、開放検出信号と、が互いに影響し合うことがないようになっている。尚、本実施例では、遊技に関連して出力されるＲＢ中信号、ＢＢ中信号、リール制御信号、ストップスイッチ信号、メダルＩＮ信号、メダルＯＵＴ信号を出力するための接続端子２４０と、開放検出信号を出力するための接続端子２４１と、が別個に構成されているが、これら双方の信号が電気的に絶縁された状態で出力できるものであれば、双方の信号を１つの接続端子にて出力する構成した場合でも、ＲＢ中信号、ＢＢ中信号、リール制御信号、ストップスイッチ信号、メダルＩＮ信号、メダルＯＵＴ信号と、開放検出信号と、が互いに影響し合うことがない。
【００７７】
尚、本発明はこれに限定されるものではなく、例えば、これら各信号を検出するための検出回路を外部出力基板２０５に設け、この検出回路による各信号の検出状況を特定可能な情報を、パラレル信号やシリアル信号として外部に出力するようにしても良い。
【００７８】
また、本実施例では、遊技に関連して出力されるＲＢ中信号、ＢＢ中信号、リール制御信号、ストップスイッチ信号、メダルＩＮ信号、メダルＯＵＴ信号が１つの接続端子２４０にて出力される構成とされているが、これら遊技に関連して出力される信号がその用途（例えば、開発時に利用するか、型式試験に利用するか、ホール設置後に利用するか、等）別に別個に設けられた複数の接続端子から出力されるようにしても良い。
【００７９】
また、前述のようにＲＢ中信号、ＢＢ中信号、リール制御信号、ストップスイッチ信号、メダルＩＮ信号、メダルＯＵＴ信号、開放検出信号の外部出力は、外部出力基板２０５に設けられた接続端子２４０、２４１を介して行われる。接続端子２４０、２４１は、例えば、外部機器からのプローブを接続可能な信号ピンや外部機器からのケーブルを接続可能なコネクタで構成される。
【００８０】
尚、本実施例では、外部出力基板２０５に全ての信号に対応する接続端子２４０、２４１を設けた構成としたものを例示するが、本発明はこれに限定されるものではなく、例えば、ＲＢ中信号、ＢＢ中信号、リール制御信号、ストップスイッチ信号、メダルＩＮ信号、メダルＯＵＴ信号を使用しない場合には、接続端子２４０を設けない構成としても良く、これによりスロットマシンの製造コストを軽減することができる。
【００８１】
尚、接続端子２４０を設けない構成とは、外部出力基板２０５において外部出力用の配線パターンは形成されているが、信号ピンやコネクタ等の接続端子２４０を設けない構成のものや、外部出力基板２０５において接続端子２４０が実装される部分が形成されていないものを含む。また、開放検出信号の接続端子２４１とともに、メダルＩＮ信号やメダルＯＵＴ信号、ＢＢ中信号、ＲＢ中信号のみを出力可能な接続端子を設けて、これら各信号を外部機器へ出力できるようにしても良い。
【００８２】
これら外部出力基板２０５から出力される信号のうち、ＲＢ中信号、ＢＢ中信号、リール制御信号、ストップスイッチ信号、メダルＩＮ信号、メダルＯＵＴ信号は、たとえば、第３者機関が型式試験を行う際に利用可能である。また、特にＲＢ中信号、ＢＢ中信号、メダルＩＮ信号、メダルＯＵＴ信号は、ホールコンピュータ等による遊技機のデータ管理に利用可能である。
【００８３】
また、外部出力基板２０５から出力される信号のうち、開放検出信号は、スロットマシン１に対する不正行為の防止に利用可能である。具体的には、開放検出信号が出力されることにより、外部出力基板２０５に接続されたホールコンピュータや島コントローラにてスロットマシン１における前面扉２ｂの開放を検知できるため、これに基づいて前面扉２ｂの開放がリアルタイムに把握できるようになり、例えば、不正な部品の取り付けや不正な基板への交換等を行うために前面扉２ｂが開放された場合でも、その旨を特定することができる。また、ホールコンピュータや島コントローラにて開放検出信号の出力履歴を記録することにより、不正に前面扉２ｂが開放されたことを事後的に特定することも可能となる。
【００８４】
次に、本実施例のスロットマシン１の構造の概略、及び開放検出スイッチ８５の取付構造の詳細を図５〜図９に基づいて説明する。
【００８５】
図５には、前面が開口する筺状に形成された本体部としての筐体２ａと、筐体２ａの前面開口を閉塞する前面扉２ｂと、の構造を示す斜視図が示されている。尚、この図５においては、筐体２ａの内部及び前面扉２ｂの裏面に配設される各種装置や部材に関しては主要な装置や部材のみを図示し、その他の装置や部材の図示は省略することとする。
【００８６】
前面扉２ｂは、スロットマシン１を正面から見て左側の側辺の上下位置にそれぞれ固着された蝶番３００を介して筐体２ａに枢着されており、筐体２ａの前面開口に対して一方の側辺を中心に他方の側辺が開放されるようになっている。前面扉２ｂにおけるスロットマシン１を正面から見て右側の側辺、すなわち、蝶番３００と対向する側辺には、筐体２ａの前面開口を閉塞した状態において前面扉２ｂが開放されないように係止する係止装置３０１が設けられている。
【００８７】
係止装置３０１は、図５及び図６に示されるように、前面扉２ｂを正面から見て右側の側辺の裏面側に固着される上下方向を向く金属製の取付片３０６と、筐体２ａにおける蝶番３００と対向する側辺に設けられた金属製の枠板３０２の上下位置にそれぞれ形成された被係止片３０３にそれぞれ係脱可能な上向きフック形状の係止爪３０４ａが先端に形成された上下の係止片３０４と、図示しないガイド部材を介して取付片３０６に上下方向に昇降自在に設けられた昇降杆３０７と、この昇降杆３０７を昇降自在に連係された施錠装置３ａと、から主に構成される。
【００８８】
係止片３０４は、図６に示されるように、水平方向を向く軸部材３０５を介して取付片３０６に回動自在に取り付けられているとともに、軸部材３０５を挟んで係止爪３０４ａと反対側の端部は軸部材３０９を介して昇降杆３０７に枢着されているため、昇降杆３０７が昇降することにより係止爪３０４ａが軸部材３０５を中心に上下方向に回動するようになっている。尚、昇降杆３０７と係止片３０４とは軸部材３０９を介して枢着されているため、昇降杆３０７は上昇時において若干軸部材３０５寄りに移動するように設けられている。
【００８９】
昇降杆３０７は、施錠装置３ａと図示しないリンク機構を介して連係されており、施錠装置３ａの鍵穴３（図１参照）に所定のキーを差し込んで時計回りに回転させることで上昇し、反時計回りに回転させることで下降するようになっている。また、昇降杆３０７は図示しないバネにより常時下向きに付勢されているため、バネの付勢力に抗して上昇し、バネの付勢力にて下降するようになっている。
【００９０】
一方、筐体２ａ側の枠板３０２は金属材にて構成されており、前面扉２ｂを閉塞した状態において係止装置３０１に対向する側辺に上下方向を向くように固着されている。枠板３０２における前記上下の係止爪３０４ａそれぞれに対向する位置に形成される上下方向を向く被係止片３０３は、特に図７に示されるように、枠板３０２の一部を後端から切り欠いて前側に屈曲させることにより形成されている。
【００９１】
上部の被係止片３０３の後面側には、前面扉２ｂの開放状態を検出するための開放検出スイッチ８５の本体が、該開放検出スイッチ８５を防護する防護部材を構成する防護板３１０を介して取り付けられている。防護板３１０は、所定長さを有する帯状の金属板からなり、その上下方向の中央部が内向きに膨出するように屈曲形成され、開放検出スイッチ８５の本体を収容可能とする収容部３１１が形成されている。
【００９２】
この収容部３１１は、図７及び図８に示されるように、金属材からなる防護板３１０の一部を屈曲させることにより、開放検出スイッチ８５の本体が取り付けられる側壁３１２ａと、側壁３１２ａの後端から屈曲される後壁３１２ｂと、下壁３１２ｃ及び上壁３１２ｄと、から構成されている。特に図８に示されるように、後壁３１２ｂの上端と上壁３１２ｄとの間には、開放検出スイッチ８５から延出されるコードを挿通するコード挿通部３１３が形成されているとともに、下壁３１２ｃの前端部は切り欠かれており、取付け時において下壁３１２ｃの前端と被係止片３０３の後面との間に前記係止爪３０４ａが挿入可能な挿入部３１４が形成されるようになっている。
【００９３】
防護板３１０における収容部３１１の上下の平面部には、この防護板３１０を枠板３０２に取り付けるためのネジ３１５を挿通するための挿通溝３１６が、それぞれ防護板３１０の前端縁から後方に向けて延びるように形成されている。よって、図７に示されるように、枠板３０２の上下所定箇所にそれぞれ形成されたネジ孔３１７にネジ３１５を螺入した状態で、上下の挿通溝３１６内にネジ３１５がそれぞれ挿通されるように防護板３１０を後方からスライド移動させ、側壁３１２ａ、下壁３１２ｃ、上壁３１２ｄの前端縁が被係止片３０３の後面に当接した位置にてネジ３１５を締めることで、防護板３１０が枠板３０２の内面に固着される。
【００９４】
このように防護板３１０が枠板３０２に固着されることにより、側壁３１２ａの内面に取り付けられた開放検出スイッチ８５は、図８に示されるように、そのスイッチ片８５ａを含め、金属製の側壁３１２ａ、後壁３１２ｃ、下壁３１２ｃ、上壁３１２ｄ及び筐体２ａの側板、被係止片３０３からなる防護部材により、係止爪３０４ａの挿入を許容する挿入部３１４及びコード挿通部３１３以外の周囲が覆われることになる。よって、開放検出スイッチ８５の検出を無効化させるために、例えば筐体２ａと前面扉２ｂとの間の隙間から針金等の異物が挿入されても、これら側壁３１２ａ、後壁３１２ｃ、下壁３１２ｃ、上壁３１２ｄ及び筐体２ａの側板、被係止片３０３により構成される防護部材により防護されて開放検出スイッチ８５に到達しにくくなる。
【００９５】
また、防護板３１０における上壁３１２ｄの前方上部には、防護板３１０の一部を切り欠いて屈曲することにより水平方向を向く防護片３１８が形成されている。この防護片３１８も、筐体２ａと前面扉２ｂとの間の隙間から針金等の異物を挿入して開放検出スイッチ８５に対して不正行為が行われるのを防止するとともに、挿入された異物により係止片３０４を押圧して係止状態を解除し、前面扉２ｂが開放されることを防止するものである。尚、本実施例においては、防護片３１８は上壁３１２ｄの前方上部に形成されていたが、例えば被係止片３０３の下部近傍等に形成してもよく、その配置位置や形状等は任意に変更可能である。
【００９６】
開放検出スイッチ８５は、図８に示されるようにスイッチ片８５ａが被係止片３０３（前側）側を向いた状態で取り付けられるとともに、図中実線で示されるように被係止片３０３に係止爪３０４ａが係止された状態では、スイッチ片８５ａの先端下面に係止爪３０４ａが当接してスイッチ片８５ａが上昇されて水平位置にて支持されるとともに、図中２点鎖線で示されるように被係止片３０３と係止爪３０４ａとの係止状態が解除された状態では、スイッチ片８５ａの先端が下降してスイッチ片８５ａと離間されるように取り付けられる。
【００９７】
尚、開放検出スイッチ８５は、係止爪３０４ａが被係止片３０３に係止されてスイッチ片８５ａが水平位置に位置した状態、すなわち、筐体２ａの前面開口が前面扉２ｂにより閉塞され、係止爪３０４ａの係止作用により前面扉２ｂの開放が規制された状態で電気的に導通し、前面扉２ｂが閉塞状態である旨が検出されることになる。また、係止片３０４が軸部材３０５を中心に回転して係止爪３０４ａと被係止片３０３との係止状態が解除され、係止爪３０４ａによる支持状態が解除されてスイッチ片８５ａが下降して下方位置に位置した状態、すなわち、筐体２ａの前面開口が開放された状態で非導通状態となり、前面扉２ｂが開放された旨が検出されることになる。すなわち開放検出信号が出力された状態となる。
【００９８】
このように、開放検出スイッチ８５は、筐体２ａの前面開口を閉塞する前面扉２ｂを開放するときに軸部材３０５を中心として回転される係止爪３０４ａの回転動作を検出可能に設けられている。すなわち前面扉２ｂを開放する際に必ず動作する係止爪３０４ａの動作を検出することで確実に前面扉２ｂの開放を検出できる。
【００９９】
更に、開放検出スイッチ８５を前面扉２ｂ本体の所定箇所に直接当接するように設けて開閉を検出する場合に比べて、開放検出スイッチ８５を外部から不正されにくい箇所に設けることができる。
【０１００】
具体的には、開放検出スイッチ８５のスイッチ片８５ａは、前面扉２ｂを閉塞したときに被係止片３０３の後面側にて係止される係止爪３０４ａと接触可能に設けられているため、前面扉２ｂと筐体２ａとの間に形成される隙間から針金等が挿入されても、開放検出スイッチ８５の前側が被係止片３０３により防護されているため、針金等を開放検出スイッチ８５まで到達させることが困難となる。
【０１０１】
更に、開放検出スイッチ８５は、側壁３１２ａ、後壁３１２ｃ、下壁３１２ｃ、上壁３１２ｄ及び筐体２ａの側板、被係止片３０３により構成される防護部材により、本体及びスイッチ片８５ａの周囲が覆われるため、前述したように前面扉２ｂと筐体２ａとの間に形成される隙間から挿入された針金等により、例えばスイッチ片８５ａを水平状態、すなわち、前面扉２ｂが閉塞状態である旨が検出される状態に保持した状態で、係止爪３０４ａと被係止片３０３との係止状態を解除して前面扉２ｂを開放することは極めて困難となるため、開放検出スイッチ８５による検出を無効化させること、すなわち前面扉２ｂの開放が検出されない状態で前面扉２ｂが開放されてしまうことを効果的に防止することができる。
【０１０２】
また、開放検出スイッチ８５は、係止爪３０４ａが係止される被係止片３０３が一体形成される枠板３０２に、防護板３１０を介して取り付けられていることで、係止爪３０４ａとのスイッチ片８５ａとの位置ずれが生じにくくなるため、検出誤差の発生が効果的に低減される。
【０１０３】
また、本実施例では、外部出力基板２０５が、図５に示されるように、筐体２ａにおける正面から見て右側の側板内面上部、すなわち、前面扉２ｂを枢着する蝶番３００が固着される側板と対向する側板内面における前記開放検出スイッチ８５の後方位置に配置されている。
【０１０４】
このように、開放検出スイッチ８５及び外部出力基板２０５が、筐体２ａにおける前面扉２ｂの開放側となる側板内面に設けられているとともに、開放検出スイッチ８５の後方近傍に外部出力基板２０５が近接配置されているため、配線を簡素化できる。
【０１０５】
尚、本実施例においては、前面扉２ｂを開放する際に軸部材３０５を中心に回動する係止爪３０４ａの回動動作にて、前面扉２ｂの開閉状態を検出するように構成されていたが、例えば、開放検出スイッチ８５により、該係止爪３０４ａの回動動作に連動して移動する部材、例えば昇降杆３０７の昇降動作を検出するように設けても、前面扉２ｂの開閉を検出することは可能である。
【０１０６】
また、本実施例においては、係止爪３０４ａが被係止片３０３に係止された係止状態においてスイッチ片８５ａが係止爪３０４ａにより押圧されて、前面扉２ｂが閉塞状態にあることが検出されるようになっていたが、例えば図９に示されるように、係止爪３０４ａと被係止片３０３との係止状態が解除された状態においてスイッチ片８５ａ’  が係止爪３０４ａにより押圧されて、前面扉２ｂが開放可能な状態であることが検出されるように開放検出スイッチ８５’を設けても良い。
【０１０７】
このような構成とした場合、前面扉２ｂを開放するために係止爪３０４ａと被係止片３０３との係止状態を解除しようとすると、係止片３０４の下端によりスイッチ片８５ａ’が確実に押圧され、係止状態が解除されたことが検出されることになるとともに、逆にスイッチ片８５ａ’が押圧されて開放が検出されないようにしようとすると、係止片３０４がスイッチ片８５ａ’に当接規制されて被係止片３０３と係止爪３０４ａとの係止状態を解除することが出来ず、前面扉２ｂを開放することが出来ないことになるため、不正行為を効果的に防止することができる。
【０１０８】
以上説明したように、本実施例のスロットマシン１では、前面扉２ｂの開放が開放検出スイッチ８５に検出されたときに、その旨を示す開放検出信号が外部出力基板２０５より出力され、開放検出信号をホールコンピュータや島コントローラ等の外部機器で検知することで前面扉２ｂが開放された旨を把握することが可能となり、不正に前面扉２ｂが開放された場合、すなわち不正な部品の取り付けや交換等が行われた場合には、その旨を把握できるため、これら不正行為への対応を迅速に行うことができる。
【０１０９】
以上、本発明の実施例を図面により説明してきたが、本発明はこの実施例に限定されるものではなく、本発明の主旨を逸脱しない範囲における変更や追加があっても本発明に含まれることは言うまでもない。
【０１１０】
例えば、前記実施例では、メダル並びにクレジットを使用してゲームを実施可能な通常のスロットマシンを用いているが、本発明はこれに限定されるものではなく、パチンコ球を用いてゲームを行うスロットマシンや、メダルが外部に排出されることなくクレジットを使用して遊技可能な完全クレジット式のスロットマシン、更には可変表示装置が画像にて表示される画像式のスロットマシンにも適用可能であることはいうまでもなく、これらスロットマシンの種別が限定されるものではない。
【０１１１】
前記実施例における各要素は、本発明に対して以下のように対応している。
【０１１２】
本発明の請求項１は、１ゲームに対して賭数を設定することによりゲームが開始可能となるとともに、表示状態を変化させることが可能な可変表示装置（リール５１Ｌ、５１Ｃ、５１Ｒ）の表示結果が導出表示されることにより１ゲームが終了し、該可変表示装置（リール５１Ｌ、５１Ｃ、５１Ｒ）の表示結果に応じて入賞が発生可能とされたスロットマシン１であって、前面が開口する筺状のスロットマシン本体（筐体２ａ）と、該スロットマシン本体（筐体２ａ）の前面開口を閉塞する前面扉２ｂと、を有し、ゲームの制御を行う遊技制御手段（制御部）が搭載された遊技制御基板２００と、前記前面扉２ｂの開放を検出する開放検出手段（開放検出スイッチ８５）と、前記遊技制御基板２００と別個に設けられ、前記開放検出手段（開放検出スイッチ８５）により前記前面扉２ｂの開放が検出されたときに出力される開放検出信号を外部に出力するための扉開放外部出力部（接続端子２４１）が搭載された外部出力基板２０５と、を備える。
【０１１３】
本発明の請求項２は、前記開放検出信号は、前記遊技制御手段（遊技制御基板２００に搭載された制御部）に入力されることなく前記扉開放外部出力部（接続端子２４１）を介して外部に出力される。
【０１１４】
本発明の請求項３は、前記前面扉２ｂは、前記スロットマシン本体（筐体２ａ）の前面開口に対して一方の側端（蝶番３００が固着された側辺）を軸に他方の側端（蝶番３００が固着された側辺と対向する側辺）が開放可能となるように取り付けられており、前記開放検出手段（開放検出スイッチ８５）及び前記外部出力基板２０５は、前記スロットマシン本体（筐体２ａ）における前記前面扉２ｂの開放側（蝶番３００が固着された側板と対向する側板）に設けられている。
【０１１５】
本発明の請求項４は、前記外部出力基板２０５には、遊技に関連する遊技信号（ＲＢ中信号、ＢＢ中信号、リール制御信号、ストップスイッチ信号、メダルＩＮ信号、メダルＯＵＴ信号）を外部に出力するための遊技関連外部出力部（接続端子２４１）が搭載され、前記開放検出信号と前記遊技信号（ＲＢ中信号、ＢＢ中信号、リール制御信号、ストップスイッチ信号、メダルＩＮ信号、メダルＯＵＴ信号）とは電気的に独立して外部に出力される。
【０１１６】
本発明の請求項５は、前記前面扉２ｂまたは前記スロットマシン本体（筐体２ａ）のいずれか一方に設けられた係止部材（係止装置３０１の係止爪３０４ａ）が、他方に設けられた係止部（被係止片３０３）に係止されることで前記前面扉２ｂの開放が規制されるとともに、前記係止部材（係止装置３０１の係止爪３０４ａ）を動作させることで前記係止部材（係止装置３０１の係止爪３０４ａ）と係止部（被係止片３０３）の係止が解除され、前記前面扉２ｂの開放が可能とされており、前記開放検出手段（開放検出スイッチ８５）は、前記係止部材（係止装置３０１の係止爪３０４ａ）の動作を検出する。
【０１１７】
本発明の請求項６は、前記開放検出手段（開放検出スイッチ８５）の周囲を覆う防護部材（側壁３１２ａ、後壁３１２ｃ、下壁３１２ｃ、上壁３１２ｄ及び筐体２ａの側板、被係止片３０３）が設けられている。
【０１１８】
【発明の効果】
本発明は以下の効果を奏する。
【０１１９】
（ａ）請求項１項の発明によれば、前面扉の開放が開放検出手段に検出されたときに、その旨を示す開放検出信号が扉開放外部出力部より出力され、開放検出信号を外部で検知することで前面扉が開放された旨を把握することが可能となり、不正に前面扉が開放された場合、すなわち不正な部品の取り付けや交換等が行われた場合には、その旨を把握できるため、これら不正行為への対応を迅速に行うことができる。
【０１２０】
（ｂ）請求項２項の発明によれば、遊技に直接関連しない開放検出信号が遊技制御手段に入力されないため、開放検出信号の経路を介して不正な信号が遊技制御手段に入力されることを防止できる。
【０１２１】
（ｃ）請求項３項の発明によれば、開放検出手段と外部出力基板とを近接して配置できるため、配線を簡素化できる。
【０１２２】
（ｄ）請求項４項の発明によれば、開放検出信号と遊技信号とが電気的に独立しているため、双方の信号が互いに影響し合うことがない。
【０１２３】
（ｅ）請求項５項の発明によれば、前面扉を開放する際には必ず係止部材が動作するため、その動作を検出することで確実に前面扉の開放を検出できる。
【０１２４】
（ｆ）請求項６項の発明によれば、開放検出手段の検出を無効化させるためにスロットマシン本体と前面扉の隙間から異物が挿入されても、防護部材により開放検出手段に到達しづらくできる。
【図面の簡単な説明】
【図１】本発明が適用された実施例のスロットマシンを示す正面図である。
【図２】図１のスロットマシンの内部構造図である。
【図３】本実施例のスロットマシンの全体構成を示すブロック図である。
【図４】本実施例のスロットマシンにおける外部出力基板の構成を示すブロック図である。
【図５】本実施例のスロットマシンの前面扉を開放した状態を示す斜視図である。
【図６】本実施例のスロットマシンに設けられた係止装置及び開放検出スイッチとの関係を示す概略図である。
【図７】開放検出スイッチの取付構造を示す斜視図である。
【図８】係止爪及び開放検出スイッチの作用を示す要部拡大断面図である。
【図９】開放検出スイッチによる検出の変形例を示す要部拡大断面図である。
【符号の説明】
１                            スロットマシン
２ａ                          筐体
２ｂ                          前面扉
５１Ｌ、５１Ｃ、５１Ｒ        リール
８５                          開放検出スイッチ
２００                        遊技制御基板
２０５                        外部出力基板
２４０、２４１                接続端子
３０１                        係止装置
３０３                        被係止片
３０４ａ                      係止爪
３１０                        防護板
【図１】
2004267357.tif 000003
【図２】
2004267357.tif 000004
【図３】
2004267357.tif 000005
【図４】
2004267357.tif 000006
【図５】
2004267357.tif 000007
【図６】
2004267357.tif 000008
【図７】
2004267357.tif 000009
【図８】
2004267357.tif 000010
【図９】
2004267357.tif 000011